(57)【特許請求の範囲】
【請求項１】
複数の記録層を有し、前記複数の記録層各々に記録層の種別を示す層種別情報が予め記録されている光ディスクに、光源から出射された光ビームを対物レンズを介して集光させることにより、前記光ディスクに情報を記録又は記録された情報を再生する情報記録再生装置における情報記録再生方法であって、
前記光源から出射される光ビームのパワーを一のパワーである第１パワーより弱いパワーである第２パワーに設定すると共に、前記光ディスクが有する記録層の層数を検出する層数検出工程と、
前記検出された層数が３以上であることを条件に、前記複数の記録層のうち前記対物レンズに最も近い記録層である一の記録層に前記光源から出射された光ビームを集光するように前記対物レンズを制御するレンズ制御工程と、
前記レンズ制御工程の後に、前記光源から出射される光ビームのパワーを前記第１パワー及び前記第２パワーの間のパワーである第３パワーに設定するパワー設定工程と、
前記一の記録層に予め形成されたウォブルに起因する前記一の記録層に係る情報である層情報に基づいて前記光ディスクが有する記録層の層数を特定する層数特定工程と、
前記層数特定工程の後に、前記光源から出射される光ビームのパワーを前記第１パワーに設定すると共に、前記一の記録層に予め記録されている層種別情報を読み取り、前記読み取られた層種別情報に基づいて前記光ディスクの種別を特定する種別特定工程と
を備えることを特徴とする情報記録再生方法。
【請求項２】
前記層情報は、前記一の記録層に係るアドレス情報であることを特徴とする請求項１に記載の情報記録再生方法。
【請求項３】
前記レンズ制御工程の後、且つ前記層数特定工程の前に、前記第２パワーを有する光ビームによって前記層情報を読み取り可能か否かを判定する判定工程を更に備え、
前記層情報を読み取り可能であると判定された場合、前記層数特定工程を実行し、前記層情報を読み取り不可能であると判定された場合、前記パワー設定工程を実行した後に前記層数特定工程を実行する
ことを特徴とする請求項２に記載の情報記録再生方法。
【請求項４】
前記層情報は、前記一の記録層に係るウォブル信号の周波数が所定の周波数となる線速度であることを特徴とする請求項１に記載の情報記録再生方法。
【請求項５】
前記光ディスクには、前記光ディスクの構成を示す構成情報が予め記録されており、
前記種別特定工程の後に、前記構成情報を読み取り、前記読み取られた構成情報に基づいて前記層数を確定すると共に、前記複数の記録層各々に照射すべき光ビームのパワーを確定する確定工程を更に備える
ことを特徴とする請求項１に記載の情報記録再生方法。
【請求項６】
複数の記録層を有し、前記複数の記録層各々に記録層の種別を示す層種別情報が予め記録されている光ディスクに情報を記録又は記録された情報を再生する情報記録再生装置であって、
光源と、
前記光源から出射される光ビームのパワーを設定可能なパワー設定手段と、
前記光ディスクに前記光源から出射された光ビームを集光する対物レンズと、
前記複数の記録層のうち記録又は再生の対象とする記録層上に前記光源から出射された光ビームが集光されるように前記対物レンズを駆動可能なレンズ駆動手段と、
前記パワー設定手段及び前記レンズ駆動手段を夫々制御する制御手段と、
前記光ディスクが有する記録層の層数を検出する層数検出手段と
を備え、
前記制御手段は、
前記層数検出手段が前記層数を検出する際に、前記光源から出射される光ビームのパワーを一のパワーである第１パワーより弱いパワーである第２パワーに設定するように前記パワー設定手段を制御し、
前記層数検出手段により検出された層数が３以上であることを条件に、前記複数の記録層のうち前記対物レンズに最も近い記録層である一の記録層に前記光源から出射された光ビームが集光されるように前記レンズ駆動手段を制御し、
前記一の記録層に前記光源から出射された光ビームが集光された後、前記光源から出射される光ビームのパワーを前記第１パワー及び前記第２パワーの間のパワーである第３パワーに設定するように前記パワー設定手段を制御し、
当該情報記録再生装置は、
前記一の記録層に予め形成されたウォブルに起因する前記一の記録層に係る情報である層情報に基づいて前記光ディスクが有する記録層の層数を特定する層数特定手段と、
前記一の記録層に予め記録されている層種別情報を読み取り、前記読み取られた層種別情報に基づいて前記光ディスクの種別を特定する種別特定手段と
を更に備え、
前記制御手段は、前記種別特定手段が前記種別を特定する際に、前記光源から出射される光ビームのパワーを前記第１パワーに設定するように前記パワー設定手段を制御する
ことを特徴とする情報記録再生装置。
【請求項７】
複数の記録層を有し、前記複数の記録層各々に記録層の種別を示す層種別情報が予め記録されている光ディスクに記録された情報を再生する情報再生装置であって、
光源と、
前記光源から出射される光ビームのパワーを設定可能なパワー設定手段と、
前記光ディスクに前記光源から出射された光ビームを集光する対物レンズと、
前記複数の記録層のうち再生の対象とする記録層上に前記光源から出射された光ビームが集光されるように前記対物レンズを駆動可能なレンズ駆動手段と、
前記パワー設定手段及び前記レンズ駆動手段を夫々制御する制御手段と、
前記光ディスクが有する記録層の層数を検出する層数検出手段と
を備え、
前記制御手段は、
前記層数検出手段が前記層数を検出する際に、前記光源から出射される光ビームのパワーを一のパワーである第１パワーより弱いパワーである第２パワーに設定するように前記パワー設定手段を制御し、
前記層数検出手段により検出された層数が３以上であることを条件に、前記複数の記録層のうち前記対物レンズに最も近い記録層である一の記録層に前記光源から出射された光ビームが集光されるように前記レンズ駆動手段を制御し、
前記一の記録層に前記光源から出射された光ビームが集光された後、前記光源から出射される光ビームのパワーを前記第１パワー及び前記第２パワーの間のパワーである第３パワーに設定するように前記パワー設定手段を制御し、
当該情報再生装置は、
前記一の記録層に予め形成されたウォブルに起因する前記一の記録層に係る情報である層情報に基づいて前記光ディスクが有する記録層の層数を特定する層数特定手段と、
前記一の記録層に予め記録されている層種別情報を読み取り、前記読み取られた層種別情報に基づいて前記光ディスクの種別を特定する種別特定手段と
を更に備え、
前記制御手段は、前記種別特定手段が前記種別を特定する際に、前記光源から出射される光ビームのパワーを前記第１パワーに設定するように前記パワー設定手段を制御する
ことを特徴とする情報再生装置。
【請求項８】
複数の記録層を有し、前記複数の記録層各々に記録層の種別を示す層種別情報が予め記録されている光ディスクに、光源から出射された光ビームを対物レンズを介して集光させることにより、前記光ディスクに情報を記録又は記録された情報を再生する情報記録再生装置における情報記録再生方法であって、
前記光源から出射される光ビームのパワーを一のパワーである第１パワーより弱いパワーである第２パワーに設定すると共に、前記光ディスクが有する記録層の層数を検出する層数検出工程と、
前記検出された層数が３以上であることを条件に、前記複数の記録層のうち前記対物レンズに最も近い記録層である一の記録層に前記光源から出射された光ビームを集光するように前記対物レンズを制御するレンズ制御工程と、
前記レンズ制御工程の後に、前記光源から出射される光ビームのパワーを前記第１パワー及び前記第２パワーの間のパワーである第３パワーに設定するパワー設定工程と、
前記一の記録層に予め記録された前記一の記録層に係る情報である層情報を、前記集光された光ビームの前記一の記録層からの反射光に起因して前記情報記録再生装置の受光素子から出力されるＲＦ信号から取得し、前記取得された層情報に基づいて前記光ディスクが有する記録層の層数を特定する層数特定工程と、
前記層数特定工程の後に、前記光源から出射される光ビームのパワーを前記第１パワーに設定すると共に、前記一の記録層に予め記録されている層種別情報を、前記集光された光ビームの前記一の記録層からの反射光に起因して前記受光素子から出力されるＲＦ信号から取得し、前記取得された層種別情報に基づいて前記光ディスクの種別を特定する種別特定工程と、
を備えることを特徴とする情報記録再生方法。
【発明の詳細な説明】
【技術分野】
【０００１】
本発明は、例えばＢＤ（Ｂｌｕ−ｒａｙ  Ｄｉｓｃ）等の光ディスクに情報を記録又は記録された情報を再生する情報記録再生方法及び装置、並びに情報再生装置に関し、特に、記録又は再生の対象とする光ディスクの種別等の判定に係る技術分野に関する。
【背景技術】
【０００２】
この種の方法として、例えば、光ディスクが光ディスク装置に挿入された場合、該光ディスクに記録されたアドレス情報を読み取り、該読み取られたアドレス情報に基づいて該光ディスクの記録面の層数に関する情報を取得する方法が提案されている（特許文献１参照）。或いは、光ディスクからの反射光に応じた電気信号に基づいてＳ字波形を検出し、該検出されたＳ字波形の数に基づいて光ディスクの層数を判別する方法が提案されている（特許文献２参照）。
【先行技術文献】
【特許文献】
【０００３】
【特許文献１】特開２００３−３０８３０号公報
【特許文献２】特開２００８−２０４５３６号公報
【発明の概要】
【発明が解決しようとする課題】
【０００４】
しかしながら、上述の背景技術では、光ディスクの種別等を判定する際に、該光ディスクに照射される光ビームのパワーについては考慮されていない。すると、光ビームのパワーによっては、光ディスクに記録されている情報を劣化させてしまう可能性があるという技術的問題点がある。【０００５】
本発明は、例えば上記問題点に鑑みてなされたものであり、光ディスクに記録されている情報の劣化を抑制しつつ、該光ディスクの種別等を判定することができる情報記録再生方法及び装置、並びに情報再生装置を提案することを課題とする。
【課題を解決するための手段】
【０００６】
本発明の情報記録再生方法は、上記課題を解決するために、複数の記録層を有し、前記複数の記録層各々に記録層の種別を示す層種別情報が予め記録されている光ディスクに、光源から出射された光ビームを対物レンズを介して集光させることにより、前記光ディスクに情報を記録又は記録された情報を再生する情報記録再生装置における情報記録再生方法であって、前記光源から出射される光ビームのパワーを一のパワーである第１パワーより弱いパワーである第２パワーに設定すると共に、前記光ディスクが有する記録層の層数を検出する層数検出工程と、前記検出された層数が３以上であることを条件に、前記複数の記録層のうち前記対物レンズに最も近い記録層である一の記録層に前記光源から出射された光ビームを集光するように前記対物レンズを制御するレンズ制御工程と、前記レンズ制御工程の後に、前記光源から出射される光ビームのパワーを前記第１パワー及び前記第２パワーの間のパワーである第３パワーに設定するパワー設定工程と、前記一の記録層に予め形成されたウォブルに起因する前記一の記録層に係る情報である層情報に基づいて前記光ディスクが有する記録層の層数を特定する層数特定工程と、前記層数特定工程の後に、前記光源から出射される光ビームのパワーを前記第１パワーに設定すると共に、前記一の記録層に予め記録されている層種別情報を読み取り、前記読み取られた層種別情報に基づいて前記光ディスクの種別を特定する種別特定工程とを備える。
【０００７】
本発明の情報記録再生方法によれば、当該情報記録再生方法は、例えばＬＤ（Ｌａｓｅｒ  Ｄｉｏｄｅ）等である光源から出射された光ビームを、対物レンズを介して、光ディスクに集光させることにより、該光ディスク情報を記録又は記録された情報を再生する情報記録再生装置における情報記録再生方法である。【０００８】
当該情報記録再生方法が対象とする光ディスクは、複数の記録層を有している。該複数の記録層の各々には、記録層の種別を示す層種別情報が予め記録されている。ここで、「種別」は、例えばＢＤ−Ｒ（Ｂｌｕ−ｒａｙ  Ｄｉｓｃ  Ｒｅｃｏｒｄａｂｌｅ）、ＢＤ−ＲＥ（Ｂｌｕ−ｒａｙ  Ｄｉｓｃ  Ｒｅｗｒｉｔａｂｌｅ）等の所定の規格により定められる種別を意味する。尚、光ディスクには、層種別情報に加えて、該光ディスクの構成を示す構成情報等が予め記録されていてもよい。【０００９】
層数検出工程において、光源から出射される光ビームのパワーが、一のパワーである第１パワーより弱いパワーである第２パワーに設定されると共に、光ディスクが有する記録層の層数が検出される。ここで、記録層の層数の検出には、例えば公知のフォーカス・サーチ等の技術を適用可能である。【００１０】
本発明に係る「第１パワー」は、例えば１．０ｍＷ（ミリワット）等であり、３層以上の記録層を有する光ディスクに記録されている情報を確実に読み取れるパワーのうち比較的弱い（即ち、光ディスクに記録されている情報を劣化させない）パワーとして設定されている。他方、本発明に係る「第２パワー」は、第１パワーよりも弱いパワーであり、例えば０．３５ｍＷ等である。「第２パワー」は、例えば、記録層を１層しか有しない（即ち、単層の）光ディスクに記録されている情報を劣化させることのないパワーとして設定すればよい。【００１１】
本願発明者の研究によれば、以下の事項が判明している。即ち、光源から出射される光ビームのパワーが一定であると仮定すると、光ディスクが有する記録層の層数が多くなると、記録層の層数に起因して、記録又は再生の対象とする記録層からの反射光の光量が弱くなる。従って、反射光の光量を所定の範囲に保つためには、記録層の層数に応じて光ビームのパワーを増加する必要がある。【００１２】
他方で、光ディスクが有する記録層の層数毎に、光ビームの好適なパワーが存在する。具体的には例えば、ＢＤの場合、０．３５ｍＷ（１層）、０．７ｍＷ（２層）、１．０ｍＷ（３層）、１．１ｍＷ（４層）等である。仮に、上記好適なパワーより大きいパワーを有する光ビームが、光ディスクに照射されると、該光ディスク（記録層）に記録されている情報が劣化する可能性がある。【００１３】
そこで、本発明では、光ディスクが有する記録層の層数が不明である、上記層数検出工程では、十分に弱い第２パワーを有する光ビームにより、該光ディスクが有する記録層の層数が検出される。このため、光ディスクに記録されている情報の劣化を抑制することができる。【００１４】
層数検出工程において検出された層数が３以上である場合、レンズ制御工程において、光ディスクの複数の記録層のうち対物レンズに最も近い記録層（つまり、対物レンズから見て最も手前にある記録層）である一の記録層に、光源から出射された光ビームを集光するように対物レンズが制御される。【００１５】
パワー設定工程において、光源から出射される光ビームのパワーが、第１パワー及び第２パワーの間のパワーである第３パワーに設定される。これにより、反射光の光量が大きくなり、リーダビリティを向上させることができる。【００１６】
但し、光ディスクの記録層の層数が多くなると記録層間の層間厚みが減少し、層数検出工程における層数の検出精度が低下する。具体的には例えば、光ディスクの記録層が２層であっても、層数は３であると検出される場合がある。そこで、本発明では、上述の如く、光ビームのパワーを、第１パワー及び第２パワーの間の第３パワー（例えば、０．７ｍＷ等）に設定することによって、層数が誤検出された場合であっても、光ディスクに記録されている情報の劣化を抑制しつつ、リーダビリティを向上させている。【００１７】
尚、「レンズ制御工程の後」とは、「レンズ制御工程終了時点以降」という意味であり、レンズ制御工程直後に限られない。【００１８】
層数特定工程において、一の記録層に予め形成されたウォブルに起因する該一の記録層に係る情報である層情報に基づいて光ディスクが有する記録層の層数が特定される。このため、上記層数検出工程における検出精度よりも高い精度で、光ディスクが有する記録層の層数を特定することができる。
【００１９】
多層光ディスクでは、複数の記録層のうち、対物レンズから見て最も奥にある記録層を、第０層（即ち、“Ｌａｙｅｒ０：Ｌ０”）とし、対物レンズに近い記録層程、層に割り当てられる番号が大きくなる。このため、複数の記録層のうち最も対物レンズよりの一の記録層に係る情報である層情報を読み取れば、光ディスクが何層の記録層を有しているのかを、比較的容易に特定することができる。尚、「層情報」は、例えばＡＤＩＰ（ＡＤｒｅｓｓ  Ｉｎ  Ｐｒｅ−Ｇｒｏｏｖｅ）アドレス、ウォブル信号の周波数が所定の周波数となる線速度等である。【００２０】
種別特定工程において、光源から出射される光ビームのパワーが第１パワーに設定されると共に、一の記録層に予め記録されている層種別情報が読み取られ、該読み取られた層種別情報に基づいて光ディスクの種別が特定される。ここで、「層種別情報」は、例えばＡＤＩＰのＤＩ（Ｄｉｓｃ  Ｉｎｆｏｒｍａｔｉｏｎ）の“ＢＤ  Ｌａｙｅｒ  Ｔｙｐｅ  Ｉｄｅｎｔｉｆｉｅｒ”等である。【００２１】
種別特定工程は、上記層数特定工程において、光ディスクが有する記録層が３層以上であると特定された場合のみ実行される。このため、光ビームのパワーが第１パワーに設定されたとしても、光ディスクに記録されている情報の劣化を抑制することができる。また、光ビームのパワーが第１パワーに設定されることにより、リーダビリティを向上させることができる。【００２２】
尚、「層数特定工程の後」とは、「層数特定工程終了時点以降」という意味であり、層数特定工程直後に限られない。【００２３】
以上の結果、本発明の情報記録再生方法によれば、光ディスクに記録されている情報の劣化を抑制しつつ、該光ディスクの種別等を判定することができる。【００２４】
尚、当該情報記録再生方法が適用される情報記録再生装置では、上記種別特定工程の後に、例えば、光ディスクに予め記録されているＡＤＩＰのＤＩの“ＢＤ  ｓｔｒｕｃｔｕｒｅ”等を読み取り、該読み取られた“ＢＤ  ｓｔｒｕｃｔｕｒｅ”に基づいて、光ディスクが有する記録層の層数、及び各記録層に照射すべき光ビームのパワーを確定する。【００２５】
本発明の情報記録再生方法の一態様では、前記層情報は、前記一の記録層に係るアドレス情報である。【００２６】
この態様によれば、比較的容易にして、光ディスクが有する記録層の層数を特定することができる。【００２７】
層情報がアドレス情報である態様では、前記レンズ制御工程の後、且つ前記層数特定工程の前に、前記第２パワーを有する光ビームによって前記層情報を読み取り可能か否かを判定する判定工程を更に備え、前記層情報を読み取り可能であると判定された場合、前記層数特定工程を実行し、前記層情報を読み取り不可能であると判定された場合、前記パワー設定工程を実行した後に前記層数特定工程を実行してもよい。【００２８】
このように構成すれば、第２パワーを有する光ビームにより層情報を読み取り可能である場合には、パワー設定工程は実行されないので、当該情報記録再生方法に係る処理時間を短縮することができる。【００２９】
本発明の情報記録再生方法の他の態様では、前記層情報は、前記一の記録層に係るウォブル信号の周波数が所定の周波数となる線速度である。【００３０】
この態様によれば、比較的容易にして、光ディスクが有する記録層の層数を特定することができる。特に、線速度は、例えばＡＤＩＰアドレス等のアドレス情報に比べて読み取り易いので、アドレス情報を読み取る場合に比べて、層数の特定精度を向上させることができる。【００３１】
本発明の情報記録再生方法の他の態様では、前記光ディスクには、前記光ディスクの構成を示す構成情報が予め記録されており、前記種別特定工程の後に、前記構成情報を読み取り、前記読み取られた構成情報に基づいて前記層数を確定すると共に、前記複数の記録層各々に照射すべき光ビームのパワーを確定する確定工程を更に備える。【００３２】
この態様によれば、種別特定工程の後、確定工程において、光ディスクに予め記録されている、例えばＡＤＩＰのＤＩの“ＢＤ  ｓｔｒｕｃｔｕｒｅ”等の構成情報が読み取られ、該読み取られた構成情報に基づいて記録層の層数が確定されると共に、複数の記録層各々に照射すべき光ビームのパワーが確定される。これにより、光ディスクに情報を適切に記録、又は記録された情報を適切に再生することができる。【００３３】
本発明の情報記録再生装置は、上記課題を解決するために、複数の記録層を有し、前記複数の記録層各々に記録層の種別を示す層種別情報が予め記録されている光ディスクに情報を記録又は記録された情報を再生する情報記録再生装置であって、光源と、前記光源から出射される光ビームのパワーを設定可能なパワー設定手段と、前記光ディスクに前記光源から出射された光ビームを集光する対物レンズと、前記複数の記録層のうち記録又は再生の対象とする記録層上に前記光源から出射された光ビームが集光されるように前記対物レンズを駆動可能なレンズ駆動手段と、前記パワー設定手段及び前記レンズ駆動手段を夫々制御する制御手段と、前記光ディスクが有する記録層の層数を検出する層数検出手段とを備え、前記制御手段は、前記層数検出手段が前記層数を検出する際に、前記光源から出射される光ビームのパワーを一のパワーである第１パワーより弱いパワーである第２パワーに設定するように前記パワー設定手段を制御し、前記層数検出手段により検出された層数が３以上であることを条件に、前記複数の記録層のうち前記対物レンズに最も近い記録層である一の記録層に前記光源から出射された光ビームが集光されるように前記レンズ駆動手段を制御し、前記一の記録層に前記光源から出射された光ビームが集光された後、前記光源から出射される光ビームのパワーを前記第１パワー及び前記第２パワーの間のパワーである第３パワーに設定するように前記パワー設定手段を制御し、当該情報記録再生装置は、前記一の記録層に予め形成されたウォブルに起因する前記一の記録層に係る情報である層情報に基づいて前記光ディスクが有する記録層の層数を特定する層数特定手段と、前記一の記録層に予め記録されている層種別情報を読み取り、前記読み取られた層種別情報に基づいて前記光ディスクの種別を特定する種別特定手段とを更に備え、前記制御手段は、前記種別特定手段が前記種別を特定する際に、前記光源から出射される光ビームのパワーを前記第１パワーに設定するように前記パワー設定手段を制御する。
【００３４】
本発明の情報記録再生装置によれば、上述した本発明の情報記録再生方法と同様に、光ディスクに記録されている情報の劣化を抑制しつつ、該光ディスクの種別等を判定することができる。尚、本発明の情報記録再生装置においても、上述した本発明の情報記録再生方法における各種態様と同様の各種態様を採ることが可能である。【００３５】
本発明の情報再生装置は、上記課題を解決するために、複数の記録層を有し、前記複数の記録層各々に記録層の種別を示す層種別情報が予め記録されている光ディスクに記録された情報を再生する情報再生装置であって、光源と、前記光源から出射される光ビームのパワーを設定可能なパワー設定手段と、前記光ディスクに前記光源から出射された光ビームを集光する対物レンズと、前記複数の記録層のうち再生の対象とする記録層上に前記光源から出射された光ビームが集光されるように前記対物レンズを駆動可能なレンズ駆動手段と、前記パワー設定手段及び前記レンズ駆動手段を夫々制御する制御手段と、前記光ディスクが有する記録層の層数を検出する層数検出手段とを備え、前記制御手段は、前記層数検出手段が前記層数を検出する際に、前記光源から出射される光ビームのパワーを一のパワーである第１パワーより弱いパワーである第２パワーに設定するように前記パワー設定手段を制御し、前記層数検出手段により検出された層数が３以上であることを条件に、前記複数の記録層のうち前記対物レンズに最も近い記録層である一の記録層に前記光源から出射された光ビームが集光されるように前記レンズ駆動手段を制御し、前記一の記録層に前記光源から出射された光ビームが集光された後、前記光源から出射される光ビームのパワーを前記第１パワー及び前記第２パワーの間のパワーである第３パワーに設定するように前記パワー設定手段を制御し、当該情報再生装置は、前記一の記録層に予め形成されたウォブルに起因する前記一の記録層に係る情報である層情報に基づいて前記光ディスクが有する記録層の層数を特定する層数特定手段と、前記一の記録層に予め記録されている層種別情報を読み取り、前記読み取られた層種別情報に基づいて前記光ディスクの種別を特定する種別特定手段とを更に備え、前記制御手段は、前記種別特定手段が前記種別を特定する際に、前記光源から出射される光ビームのパワーを前記第１パワーに設定するように前記パワー設定手段を制御する。
【００３６】
本発明の情報再生装置によれば、上述した本発明の情報記録再生方法と同様に、光ディスクに記録されている情報の劣化を抑制しつつ、該光ディスクの種別等を判定することができる。尚、本発明の情報再生装置においても、上述した本発明の情報記録再生方法における各種態様と同様の各種態様を採ることが可能である。【００３７】
本発明の作用及び他の利得は次に説明する実施するための形態から明らかにされる。
【図面の簡単な説明】
【００３８】
【図１】本発明の第１実施形態に係る情報記録再生装置の構成を示すブロック図である。
【図２】ブルーレイディスクの断面の一例を示す断面図である。
【図３】本発明の第１実施形態に係るディスク判別処理を示すフローチャートである。
【図４】本発明の第１実施形態の変形例に係るディスク判別処理を示すフローチャートである。
【図５】本発明の第２実施形態に係るディスク判別処理を示すフローチャートである。
【図６】本発明の比較例に係るディスク判別処理を示すフローチャートである。
【発明を実施するための形態】
【００３９】
以下、図面に基づいて、本発明に係る情報記録再生方法及び装置の実施形態について説明する。
【００４０】
＜第１実施形態＞
本発明に係る情報記録再生方法及び装置の第１実施形態について、図１乃至図３を参照して説明する。尚、本実施形態では、本発明に係る「光ディスク」として、ブルーレイディスクを例に挙げるが、これに限定されるものではない。
【００４１】
本実施形態に係る情報記録再生装置について、図１を参照して説明する。図１は、本実施形態に係る情報記録再生装置の構成を示すブロック図である。尚、図１には、本実施形態に直接関係する部材のみ示し、他の部材の図示を省略している。
【００４２】
図１において、情報記録再生装置１は、光ピックアップ１０、コントローラ２０及びスピンドルモータ３０を備えて構成されている。スピンドルモータ３０は、ブルーレイディスク２（以降、適宜“ＢＤ２”と称する）を、着脱自在且つ回転自在に保持するターンテーブル（図示せず）を有している。
【００４３】
光ピックアップ１０は、対物レンズ１１と、該対物レンズ１１を駆動可能なレンズアクチュエータ１２と、４分の１波長板１３と、レンズ１４及び１５と、例えば青色レーザダイオード等である光源ＬＤと、受光素子ＰＤと、フロントモニタＦＭと、無偏光ビームスプリッタＮＢＳと、偏光ビームスプリッタＰＢＳとを備えて構成されている。
【００４４】
光ピックアップ１０において、光源ＬＤから出射され、例えば４０５ｎｍ（ナノメートル）等の波長を有する光ビームＬは、レンズ１５を介して、無偏光ビームスプリッタＮＢＳに入射する。光ビームＬは、無偏光ビームスプリッタＮＢＳの反射面で反射され、ＢＤ２方向へ９０度光路が曲げられる。尚、無偏光ビームスプリッタＮＢＳに入射した光ビームＬの一部は、無偏光ビームスプリッタＮＢＳを透過してフロントモニタＦＭに入射する。
【００４５】
無偏光ビームスプリッタＮＢＳで反射された光ビームＬは、偏光ビームスプリッタＰＢＳを介して、４分の１波長板１３を透過することで円偏光となる。４分の１波長板１３を透過した光ビームＬは、対物レンズ１１によりＢＤ２の複数の記録層２１のうち、記録又は再生の対象となる一の記録層上に集光される。
【００４６】
該一の記録層で反射された光ビームＬは、対物レンズ１１を介して、４分の１波長板１３を透過することで、入射光に対して偏光方向が９０度回転した直線偏光となる。光ビームＬは、偏光ビームスプリッタＰＢＳの反射面で反射され、レンズ１４を介して、受光素子ＰＤ上に集光される。
【００４７】
コントローラ２０は、受光素子ＰＤから出力される信号に基づいて、例えばトラッキングエラー信号及びフォーカスエラー信号を生成し、該生成されたトラッキングエラー信号及びフォーカスエラー信号に基づいて、レンズアクチュエータ１２を制御する。また、コントローラ２０は、受光素子ＰＤから出力される信号に基づいて、スピンドルモータ３０を制御する。更に、コントローラ２０は、フロントモニタＦＭから出力される信号に基づいて、光ビームＬのパワーが所定のパワーとなるように光源ＬＤを制御する。
【００４８】
ここで、ＢＤ２の構成について、図２を参照して説明する。図２は、ブルーレイディスクの断面の一例を示す断面図である。尚、図２では、ブルーレイディスクとして、記録層を３層又は４層有する記録用のブルーレイディスクを例として挙げる。また、光源ＬＤから出射された光ビームＬは、図におけるカバー（Ｃｏｖｅｒ）層の側からブルーレイディスクに入射する。
【００４９】
記録層を３層有する（ＴＬ：Ｔｒｉｐｌｅ  Ｌａｙｅｒ）ブルーレイディスクは、図２（ａ）に示すように、カバー層側から見て奥から手前に、記録層Ｌ０、記録層Ｌ１、記録層Ｌ２の順に積層されている。記録層Ｌ０、Ｌ１及びＬ２の各々のカバー層表面からの距離は、５７μｍ、７５μｍ、１００μｍである。
【００５０】
他方、記録層を４層有する（ＱＬ：Ｑｕａｄｒｕｐｌｅ  Ｌａｙｅｒ）ブルーレイディスクは、図２（ｂ）に示すように、カバー層側から見て奥から手前に、記録層Ｌ０、記録層Ｌ１、記録層Ｌ２、記録層Ｌ３の順に積層されている。記録層Ｌ０、Ｌ１、Ｌ２及びＬ３の各々のカバー層表面からの距離は、５３．５μｍ、６５μｍ、８４．５μｍ、１００μｍである。
【００５１】
次に、本実施形態に係るディスク判別処理を、図３のフローチャートを参照して説明する。このディスク判別処理は、主に、情報記録再生装置１に光ディスクが挿入された際に実行される。
【００５２】
図３において、先ず、コントローラ２０は、例えば０．３５ｍＷのパワーを有する光ビームを出射するように光源ＬＤを制御すると共に（ステップＳ１０１）、レンズアクチュエータ１２を制御しつつ、公知のフォーカス・サーチを実行する（ステップＳ１０２）。
【００５３】
尚、０．３５ｍＷは、記録層を１層のみ有するブルーレイディスクの再生に最適な値（即ち、最適なリードパワー）である。ここで、「最適なリードパワー」とは、光ディスクに記録されている情報を再生する際に、該光ディスクに照射される光ビームのパワーのうち、該光ディスクに記録されている情報を劣化させないパワーの最大値である。
【００５４】
情報記録再生装置１に光ディスクが挿入された時点では、該情報記録再生装置１は、挿入された光ディスクが何層の記録層を有しているか等を認識していない。そこで、上述の如く、例えば０．３５ｍＷという比較的弱いパワーを有する光ビームでフォーカス・サーチを行うことにより、仮に、情報記録再生装置１に挿入された光ディスクが記録層を１層しか有していなかったとしても、フォーカス・サーチに起因して、該挿入された光ディスクに記録されている情報が劣化されることを回避することができる。
【００５５】
次に、コントローラ２０は、フォーカス・サーチにより３つ以上の記録層が検出されたか否かを判定する（ステップＳ１０３）。３つ以上の記録層が検出されないと判定された場合（ステップＳ１０３：Ｎｏ）、コントローラ２０は処理を終了する。
【００５６】
他方、３つ以上の記録層が検出されたと判定された場合（ステップＳ１０３：Ｙｅｓ）、コントローラ２０は、当該情報記録再生装置１に挿入された光ディスクが、記録層を３層有するＢＤ−Ｒ若しくはＢＤ−ＲＥ、又は記録層を４層有するＢＤ−Ｒであると判定する（ステップＳ１０４）。
【００５７】
次に、コントローラ２０は、例えば０．７ｍＷのパワーを有する光ビームを照射するように光源ＬＤを制御する（ステップＳ１０５）。続いて、コントローラ２０は、受光素子ＰＤから出力される信号に基づいて、挿入された光ディスクが有する記録層のうち、対物レンズ１１に最も近い（即ち、光ディスクのカバー層側から見て最も手前の）記録層で、フォーカスサーボをかけると共に（ステップＳ１０６）、トラッキングサーボをかける（ステップＳ１０７）。
【００５８】
ブルーレイディスクの記録層の層数が多くなると、図２に示したように、記録層間の層間厚みが減少し、フォーカス・サーチにおける層数の検出精度が低下する。すると、上記ステップＳ１０３の処理において、挿入された光ディスクが記録層を２層しか有しない場合であっても、３つ以上の記録層が検出されたと判定される可能性がある。
【００５９】
そこで、光源ＬＤから出射される光ビームのパワーを、例えば記録層を３層有するブルーレイディスクに係る最適なリードパワー（例えば１．０ｍＷ）よりも弱いパワーとすることによって、記録層の層数が誤検出された場合であっても、光ディスクに記録されている情報の劣化を回避することができる。尚、０．７ｍＷは、記録層を２層有するブルーレイディスクに係る最適なリードパワーである。
【００６０】
次に、コントローラ２０は、ＡＤＩＰを読み取り可能か否かを判定する（ステップＳ１０８）。ＡＤＩＰを読み取り不可能であると判定された場合（ステップＳ１０８：Ｎｏ）、コントローラ２０は処理を終了する。
【００６１】
他方、ＡＤＩＰを読み取り可能であると判定された場合（ステップＳ１０８：Ｙｅｓ）、コントローラ２０は、読み取られたＡＤＩＰアドレスが、記録層Ｌ２に係るアドレスに該当するか否かを判定する（ステップＳ１０９）。読み取られたＡＤＩＰアドレスが、記録層Ｌ２に係るアドレスに該当すると判定された場合（ステップＳ１０９：Ｙｅｓ）、コントローラ２０は、挿入された光ディスクを、記録層を３層有するＢＤ−Ｒ又はＢＤ−ＲＥであると判定する（ステップＳ１１０）。
【００６２】
他方、読み取られたＡＤＩＰアドレスが、記録層Ｌ２に係るアドレスに該当しないと判定された場合（ステップＳ１０９：Ｎｏ）、コントローラ２０は、読み取られたＡＤＩＰアドレスが、記録層Ｌ３に係るアドレスに該当するか否かを判定する（ステップＳ１１１）。読み取られたＡＤＩＰアドレスが、記録層Ｌ３に係るアドレスに該当すると判定された場合（ステップＳ１１１：Ｙｅｓ）、コントローラ２０は、挿入された光ディスクを、記録層を４層有するＢＤ−Ｒであると判定する（ステップＳ１１２）。
【００６３】
他方、読み取られたＡＤＩＰアドレスが、記録層Ｌ３に係るアドレスに該当しないと判定された場合（ステップＳ１１１：Ｎｏ）、コントローラ２０は処理を終了する。尚、記録層を５層以上有する光ディスクが存在する場合には、上記ステップＳ１１１の処理において、読み取られたＡＤＩＰアドレスが、記録層Ｌ３に係るアドレスに該当しないと判定された場合に、コントローラ２０が、例えば読み取られたＡＤＩＰアドレスが、記録層Ｌ４に係るアドレスに該当するか否かを判定するように、該コントローラ２０を構成してもよい。
【００６４】
上記ステップＳ１１０又はＳ１１２の処理の後、コントローラ２０は、例えば１．０ｍＷのパワーを有する光ビームを照射するように光源ＬＤを制御する（ステップＳ１１３）。尚、１．０ｍＷは、記録層を３層有するＢＤ−ＲＥの記録層Ｌ２に係る最適なリードパワーである。
【００６５】
次に、コントローラ２０は、ＡＤＩＰのＤＩの“ＢＤ  Ｌａｙｅｒ  Ｔｙｐｅ  Ｉｄｅｎｔｉｆｉｅｒ”を読み取り、該読み取られた“ＢＤ  Ｌａｙｅｒ  Ｔｙｐｅ  Ｉｄｅｎｔｉｆｉｅｒ”が“ＢＤＲ”であるか否かを判定する（ステップＳ１１４）。読み取られた“ＢＤ  Ｌａｙｅｒ  Ｔｙｐｅ  Ｉｄｅｎｔｉｆｉｅｒ”が“ＢＤＲ”であると判定された場合（ステップＳ１１４：Ｙｅｓ）、コントローラ２０は、挿入された光ディスクをＢＤ−Ｒであると判定する（ステップＳ１１５）。
【００６６】
他方、読み取られた“ＢＤ  Ｌａｙｅｒ  Ｔｙｐｅ  Ｉｄｅｎｔｉｆｉｅｒ”が“ＢＤＲ”でないと判定された場合（ステップＳ１１４：Ｎｏ）、コントローラ２０は、読み取られた“ＢＤ  Ｌａｙｅｒ  Ｔｙｐｅ  Ｉｄｅｎｔｉｆｉｅｒ”が“ＢＤＷ”であるか否かを判定する（ステップＳ１１６）。
【００６７】
読み取られた“ＢＤ  Ｌａｙｅｒ  Ｔｙｐｅ  Ｉｄｅｎｔｉｆｉｅｒ”が“ＢＤＷ”であると判定された場合（ステップＳ１１６：Ｙｅｓ）、コントローラ２０は、挿入された光ディスクをＢＤ−ＲＥであると判定する（ステップＳ１１７）。他方、読み取られた“ＢＤ  Ｌａｙｅｒ  Ｔｙｐｅ  Ｉｄｅｎｔｉｆｉｅｒ”が“ＢＤＷ”でないと判定された場合（ステップＳ１１６：Ｎｏ）、コントローラ２０は処理を終了する。
【００６８】
上記ステップＳ１１５又はＳ１１７の後、コントローラ２０は、ＡＤＩＰのＤＩの“ＢＤ  ｓｔｒｕｃｔｕｒｅ”を読み取り、該読み取られた“ＢＤ  ｓｔｒｕｃｔｕｒｅ”に基づいて、挿入された光ディスクの記録層の層数を確定すると共に、記録層各々に照射される光ビームの最適なリードパワーを確定する（ステップＳ１１８）。
【００６９】
尚、コントローラ２０は、上述したディスク判別処理の後、例えばメニューデータ等の最初に再生されるように予め定められているデータを再生する、或いは、ユーザにより指定されたデータを光ディスクに記録する。
【００７０】
本実施形態に係る「１．０ｍＷ」、「０．３５ｍＷ」、「０．７ｍＷ」、「ＡＤＩＰアドレス」、「ＢＤ  Ｌａｙｅｒ  Ｔｙｐｅ  Ｉｄｅｎｔｉｆｉｅｒ」、「ＢＤ  ｓｔｒｕｃｔｕｒｅ」及び「レンズアクチュエータ１２」は、夫々、本発明に係る「第１パワー」、「第２パワー」、「第３パワー」、「層情報」、「層種別情報」、「構成情報」及び「レンズ駆動手段」の一例である。また、本実施形態に係る「コントローラ２０」は、本発明に係る「パワー設定手段」、「制御手段」、「層数検出手段」、「層数特定手段」及び「種別特定手段」の一例である。
【００７１】
尚、上述した情報記録再生装置１のうち再生に係る部分が、本発明に係る「情報再生装置」の一例である。
【００７２】
（比較例）
次に、本実施形態に係る情報記録再生装置の比較例について、図６を参照して説明する。図６は、比較例に係るディスク判別処理を示すフローチャートである。
【００７３】
図６において、先ず、コントローラ２０は、光源ＬＤから出射された光ビームが、光ディスクのＢＣＡ（Ｂｕｒｓｔ  Ｃｕｔｔｉｎｇ  Ａｒｅａ）が存在する半径（典型的には、最内周部）に集光されるように、レンズアクチュエータ１２を制御する（ステップＳ４０１）。
【００７４】
次に、コントローラ２０は、０．３５ｍＷのパワーを有する光ビームが出射されるように光源ＬＤを制御する（ステップＳ４０２）。続いて、コントローラ２０は、レンズアクチュエータ１２を制御しつつ、フォーカス・サーチを実行する（ステップＳ４０３）。
【００７５】
コントローラ２０は、フォーカス・サーチにおいて複数の記録層が検出された場合には、光ディスクのカバー層側から見て最も奥の層でフォーカスサーボをかける（ステップＳ４０４）。尚、コントローラ２０は、フォーカス・サーチにおいて一つの記録層しか検出されなかった場合には、該検出された記録層でフォーカスサーボをかける。
【００７６】
次に、コントローラ２０は、光ディスクに記録されているＢＣＡを読み取り、該読み取られたＢＣＡに基づいて、光ディスクが有する記録層の層数及びメディアタイプを確定して（ステップＳ４０５）、処理を終了する。
【００７７】
比較例に係る情報記録再生装置では、上述したディスク判別処理の後、一旦光ディスクの回転を止めるようにスピンドルモータ３０が制御される。その後改めて、光ディスクが所定の回転数で回転するようにスピンドルモータ３０が制御されると共に、光ディスクの所定の半径位置に、光源ＬＤから出射された光ビームが集光されるようにレンズアクチュエータ１２が制御される。
【００７８】
このため、比較例に係る情報記録再生装置では、該情報記録再生装置に光ディスクが挿入されてから、該光ディスクに情報の記録が開始される又は記録されている情報の再生が開始される時点までの時間が、上述した本実施形態に係る情報記録再生装置に比べて長くなる。
【００７９】
（変形例）
次に、第１実施形態に係る情報記録再生装置の変形例について、図４を参照して説明する。図４は、第１実施形態の変形例に係るディスク判別処理を示すフローチャートである。
【００８０】
図４において、コントローラ２０は、上述したステップＳ１０４（図３参照）の処理の後、受光素子ＰＤから出力される信号に基づいて、挿入された光ディスクのカバー層側から見て最も手前の記録層で、フォーカスサーボをかけると共に（ステップＳ２０１）、トラッキングサーボをかける（ステップＳ２０２）。尚、この際、光ディスクに照射される光ビームのパワーは、例えば０．３５ｍＷである。
【００８１】
次に、コントローラ２０は、ＡＤＩＰを読み取り可能か否かを判定する（ステップＳ２０３）。ＡＤＩＰを読み取り不可能であると判定された場合（ステップＳ２０３：Ｎｏ）、コントローラ２０は、光ディスクに照射される光ビームのパワーが０．７ｍＷが未満であるか否かを判定する（ステップＳ２０４）。
【００８２】
光ディスクに照射される光ビームのパワーが０．７ｍＷ以上であると判定された場合（ステップＳ２０４：Ｎｏ）、コントローラ２０は処理を終了する。他方、光ディスクに照射される光ビームのパワーが０．７ｍＷ未満であると判定された場合（ステップＳ２０４：Ｙｅｓ）、コントローラ２０は、光ディスクに照射される光ビームのパワーを、現在のパワーよりも０．１ｍＷだけ増加するように光源ＬＤを制御して（ステップＳ２０５）、上記ステップＳ２０３の処理を実行する。
【００８３】
上記ステップＳ２０３の処理において、ＡＤＩＰを読み取り可能であると判定された場合（ステップＳ２０３：Ｙｅｓ）、コントローラ２０は、上述したステップＳ１０９（図３参照）を実行する。
【００８４】
＜第２実施形態＞
本発明の情報記録再生装置に係る第２実施形態を、図５を参照して説明する。第２実施形態では、ディスク判別処理が一部異なっている以外は、第１実施形態の構成と同様である。よって、第２実施形態について、第１実施形態と重複する説明を省略すると共に、図面上における共通箇所には同一符号を付して示し、基本的に異なる点についてのみ、図５を参照して説明する。図５は、図３と同趣旨の、本実施形態に係るディスク判別処理を示すフローチャートである。
【００８５】
図５において、コントローラ２０は、上述したステップＳ１０７の処理（図３参照）の後、挿入された光ディスクのカバー層側から見て最も手前の記録層に係るウォブル信号の周波数が所定の周波数となっているか否か（即ち、スピンドルサーボがかかっているか否か）を判定する（ステップＳ３０１）。
【００８６】
スピンドルサーボがかかっていないと判定された場合（ステップＳ３０１：Ｎｏ）、コントローラ２０は処理を終了する。他方、スピンドルサーボがかかっていると判定された場合（ステップＳ３０１：Ｙｅｓ）、コントローラ２０は、線速度が３．６８８＊２ｍ／ｓであるか否かを判定する（ステップＳ３０２）。
【００８７】
ここで、線速度における“＊２”は、参照値である１倍速の線速度（ここでは、３．６８８ｍ／ｓ）の２倍であることを表わしている。即ち、線速度の判定を、２倍速で行っていることを意味する。
【００８８】
線速度が３．６８８＊２ｍ／ｓであると判定された場合（ステップＳ３０２：Ｙｅｓ）、コントローラ２０は、挿入された光ディスクを、記録層を３層有するＢＤ−Ｒ又はＢＤ−ＲＥと判定して（ステップＳ３０３）、上述したステップＳ１１３の処理（図３参照）を実行する。
【００８９】
他方、線速度が３．６８８＊２ｍ／ｓでないと判定された場合（ステップＳ３０２：Ｎｏ）、コントローラ２０は、線速度が３．８４５＊２ｍ／ｓであるか否かを判定する（ステップＳ３０４）。
【００９０】
線速度が３．８４５＊２ｍ／ｓであると判定された場合（ステップＳ３０４：Ｙｅｓ）、コントローラ２０は、挿入された光ディスクを、記録層を４層有するＢＤ−Ｒと判定して（ステップＳ３０５）、上述したステップＳ１１３の処理を実行する。他方、線速度が３．８４５＊２ｍ／ｓでないと判定された場合（ステップＳ３０４：Ｎｏ）、コントローラ２０は処理を終了する。
【００９１】
本発明は、上述した実施形態に限られるものではなく、請求の範囲及び明細書全体から読み取れる発明の要旨或いは思想に反しない範囲で適宜変更可能であり、そのような変更を伴う情報記録再生方法及び装置もまた本発明の技術的範囲に含まれるものである。
【００９２】
具体的には例えば、本発明は、ＢＤ−ＲＯＭ（Ｂｌｕ−ｒａｙ  Ｄｉｓｃ  Ｒｅａｄ  Ｏｎｌｙ  Ｍｅｍｏｒｙ）等の再生専用の光ディスクにも適用可能である。この場合、本発明に係る「層情報」及び「層種別情報」は、受光素子ＰＤから出力される信号に応じて生成されるＲＦ（Ｒａｄｉｏ  Ｆｒｅｑｕｅｎｃｙ）信号から取得すればよい。
【符号の説明】
【００９３】
１…情報記録再生装置、２…ブルーレイディスク、１０…光ピックアップ、１１…対物レンズ、１２…レンズアクチュエータ、２０…コントローラ、２１…記録層、３０…スピンドルモータ、ＬＤ…光源、ＰＤ…受光素子
【図１】
0005481558.tif 000002
【図２】
0005481558.tif 000003
【図３】
0005481558.tif 000004
【図４】
0005481558.tif 000005
【図５】
0005481558.tif 000006
【図６】
0005481558.tif 000007